(57)【要約】【課題】  カメラ部のノイズの影響を最小限に抑えながらも通信機能を常に安定させることができ、かつ、カメラ部を支障の無いように動作させる。【解決手段】  カメラ部を起動させた後（Ｓ１０１）、システム情報の受信解析処理を開始し（Ｓ１０２）、基地局のシステム情報が受信できるか否かに基づき、当該携帯電話がサービスエリア圏内にあるか圏外にあるかを判断する（Ｓ１０３）。圏外にある場合には、受信困難状態であるため、一定時間カメラ部の動作を停止させる（Ｓ１０４）。したがって、Ｓ１０３で圏外であると判断されている間は、Ｓ１０２→Ｓ１０３→Ｓ１０４→Ｓ１０２のループが繰り返される。つまり携帯電話が圏外である間は、カメラ部は停止状態に維持されてカメラ部からのノイズの発生がなくなる。【選択図】    図３
2005086612.tif 000002
【特許請求の範囲】
【請求項１】
撮像手段と、
当該機器周辺環境の電波受信状態を計測する計測手段と、
この計測手段による計測結果に基づいて前記撮像手段の動作を制御する制御手段と
を備えることを特徴とする無線通信機器。
【請求項２】
間欠受信手段を更に備え、
前記制御手段は、前記間欠受信手段の受信動作に同期して、前記撮像手段の動作を制御することを特徴とする請求項１記載の無線通信機器。
【請求項３】
前記間欠受信手段の動作に同期して所定時間を計測するタイマー手段を更に備え、
前記制御手段は、前記タイマー手段の動作に同期して、前記撮像手段の動作を制御することを特徴とする請求項２記載の無線通信機器。
【請求項４】
前記制御手段は、前記撮像手段の動作を一時的に停止させる停止手段を含み、
この停止手段によって前記撮像手段の動作が一時的に停止した場合、その旨を表示する表示手段を更に備えることを特徴とする請求項１から３のいずれか記載の無線通信機器。
【請求項５】
前記無線通信機器は、携帯電話端末であって、
前記間欠受信手段における間欠受信動作とは、当該携帯電話端末における着呼待受け状態中の動作であることを特徴とする請求項１から４のいずれか記載の無線通信機器。
【請求項６】
撮像部を備えた無線通信機器における動作制御方法であって、
当該機器周辺環境の電波受信状態を計測する計測ステップと
この計測ステップによる計測結果に基づいて前記撮像部の動作を制御する制御ステップと
からなることを特徴とする動作制御方法。
【請求項７】
撮像部と無線通信部とを具備する情報機器が有するコンピュータを、
当該機器周辺環境の電波受信状態を計測し、この計測結果に基づいて前記撮像部の動作を制御させることを特徴とする撮像部制御プログラム。
【発明の詳細な説明】
【技術分野】
【０００１】
本発明は、撮像手段を具備する無線通信機器、動作制御方法及び撮像部制御プログラムに関する。
【背景技術】
【０００２】
今日においては、所謂カメラ付き携帯電話のように電話部とカメラ部とを一体に有する携帯機器が出現するに至っている。係る携帯電話においては、カメラ部が動作すると、その主要部品であるＣＣＤやＤＳＰ等及びこれらが実装されている基板の配線から、電話部の受信信号に妨害を与えるノイズが発生する。このノイズにより、受信信号が極めて低いエリアにおいては受信信号がノイズにより潰され、当該携帯電話が圏外状態に陥るか、若しくは受信性能が十分に発揮されず、着信困難な症状が発生する。
【０００３】
このような問題に鑑み、例えば、カメラ部のズーミング指示の際、他の携帯電話との通信が確立されているかを判断し、その結果通信中であればズーミング動作を停止させたり、逆に着信通知信号検出時にズーミング中であるときには、着信不可である旨を送信したりする技術が開示されている（例えば、特許文献１）。
【特許文献１】特開２００３−１７９５４８（第５頁、図３、図４）
【発明の開示】
【発明が解決しようとする課題】
【０００４】
しかしながらこのように一義的に通信の有無の判断のみでカメラ部の動作を停止させたり、また、その逆にカメラ動作中に通信不可の制御動作を行うことは、それぞれの機能において、データの破壊を招いたり、機能そのものが故障してしまう危険性がある。
【０００５】
本発明は、このような従来の実情に鑑みてなされたものであり、カメラ部のノイズの影響を最小限に抑えながらも通信機能を常に安定させることができ、かつ、カメラ部を支障の無いように動作させることができる無線通信機器、動作制御方法及び撮像部制御プログラムを提供することを目的とするものである。
【課題を解決するための手段】
【０００６】
前記課題を解決するため請求項１記載の発明に係る無線通信機器にあっては、撮像手段と、当該機器周辺環境の電波受信状態を計測する計測手段と、この計測手段による計測結果に基づいて前記撮像手段の動作を制御する制御手段とを備える。
【０００７】
つまり、撮像手段を具備する無線通信機器において、撮像手段が動作して受信性能に支障をきたすのは、すべての受信環境で起こるのではなく限られた条件下、無線通信機器の受信感度性能能力の限界に近い電波環境（弱電界環境）で発生する。したがって、受信電波環境を計測して、その結果に応じて撮像手段を停止させることにより、効果的にノイズの影響を回避しつつ、撮像手段の停止を可及的に少なくすることができる。
【０００８】
よって、一義的に通信の有無のみで撮像手段が停止されることに起因するデータの破壊を招いたり、機能そのものが故障してしまう危険性を可及的に回避することができる。また、撮像手段の動作が、当該機器周辺環境の電波受信状態の計測結果に基づいて制御されることにより、撮像手段によるノイズの影響を最小限に抑えながらも通信機能を常に安定させることができ、かつ、撮像手段を支障の無いように動作させることが可能となる。
【０００９】
また、請求項２記載の発明に係る無線通信機器にあっては、間欠受信手段を更に備え、前記制御手段は、前記間欠受信手段の受信動作に同期して、前記撮像手段の動作を制御する。したがって、間欠受信手段が受信停止状態にある間においてのみ撮像手段を動作させることが可能となり、これにより撮像手段の動作に伴うノイズの影響を回避しつつ通信機能を常に安定させることができる。
【００１０】
また、請求項３記載の発明に係る無線通信機器にあっては、前記間欠受信手段の動作に同期して所定時間を計測するタイマー手段を更に備え、前記制御手段は、前記タイマー手段の動作に同期して、前記撮像手段の動作を制御する。すなわち、受信動作が間欠的ではあるが一定でななく長い受信時間も存在する場合、受信に同期させて撮像手段を停止させると、撮像手段の停止時間が長くなって撮像に支障をきたす場合が生ずる。しかし、前記タイマー手段の動作に同期して撮像手段の動作を停止させれば、長い受信時間が存在する場合においても、撮像に支障をきたすことがない。
【００１１】
また、請求項４記載の発明に係る無線通信機器にあっては、前記制御手段は、前記撮像手段の動作を一時的に停止させる停止手段を含み、この停止手段によって前記撮像手段の動作が一時的に停止した場合、その旨を表示する表示手段を更に備える。したがって、ユーザは撮像手段の動作を一時的に停止されたことを視覚的に認識することができ、撮像手段が不具合が生じたとの誤解の発生を防止することできるとともに、これを視認して再開指示を行うことも可能となる。
【００１２】
また、請求項５記載の発明にあっては、前記無線通信機器は、携帯電話端末であって、前記間欠受信手段における間欠受信動作とは、当該携帯電話端末における着呼待受け状態中の動作である。したがって、デザインが重要な商品要素である携帯電話端末において、デザイン上の制約による影響を伴うことなく、無線通信手段が受信時にノイズの影響を受けることのない状態を形成することができる。
【００１３】
また、請求項６記載の発明に係る動作制御方法にあっては、撮像部を備えた無線通信機器における動作制御方法であって、当該機器周辺環境の電波受信状態を計測する計測ステップとこの計測ステップによる計測結果に基づいて前記撮像部の動作を制御する制御ステップとからなる。したがって、記載したステップに従って処理を実行することにより、請求項１記載の発明と同様の作用効果を奏する。
【００１４】
また、請求項７記載の発明に係る撮像部制御プログラムにあっては、撮像部と無線通信部とを具備する情報機器が有するコンピュータを、当該機器周辺環境の電波受信状態を計測し、この計測結果に基づいて前記撮像部の動作を制御させる。したがって、前記コンピュータがこのプログラムに従って処理を実行することにより、請求項１記載の発明と同様の作用効果を奏する。
【発明の効果】
【００１５】
本発明によれば、受信電波環境を計測して、その結果に応じて撮像手段を停止させることにより、効果的にノイズの影響を回避しつつ、撮像手段の停止を可及的に少なくすることができる。よって、一義的に通信の有無のみで撮像手段が停止されることに起因するデータの破壊を招いたり、機能そのものが故障してしまう危険性を可及的に回避することができる。また、撮像手段の動作が、当該機器周辺環境の電波受信状態の計測結果に基づいて制御されることにより、撮像手段によるノイズの影響を最小限に抑えながらも通信機能を常に安定させることができ、かつ、撮像手段を支障の無いように動作させることが可能となる。
【発明を実施するための最良の形態】
【００１６】
以下、本発明の一実施の形態を図に従って説明する。
（第１の実施の形態）
図１は本発明が適用されるＮ（Ｎａｒｒｏｗｂａｎｄ）−ＣＤＭＡ方式の無線通信システムのシステム構成を示す図である。同図において無線通信システムは、携帯電話１、基地局２、及びセンター３により構成される。携帯電話１は、近隣の複数の基地局２とレイク受信を行うことにより、センター３（外部ネットワーク）との接続が保証されている。またセンター３は局交換システム３１、各基地局２と携帯電話１の接続状況を管理するセンター管理システム（便宜的にサーバシステムとして図示する）３２、及び、各基地局２の位置や識別コード、携帯電話１の接続認証情報や加入者情報を蓄積・管理するデータベースとで構成されている。
図２は携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００１７】
本体部の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。カメラキー１０４は、撮影モードへの移行時及び撮像部の起動時に操作され、メールキー１０５はメールモード移行時及びメールプログラムロード時に操作される。十字キー１０６は、カーソル及びフォーカス移動時に操作され、決定キー１０７は各種モードの決定時に操作される。アドレスキー１０８は、アドレス帳データを表示する際に操作され、ネット接続キー１０９は、地図提供サービス会社接続用の操作キーである。クリアキー１１０は、キャンセル指示用のキーであり、テンキー１１３は、文字入力及びダイアル入力用として使用される。  マイク１１４は、本体部の下部に設けられており、通話時において音声入力を行う。
【００１８】
また、蓋部の背面には、録音用マイク１１５、カラー液晶からなるサブ表示部１１６、着信の際、発光する報知用ＬＥＤ１１７、撮像レンズ１１８、及びフラッシュ用ＬＥＤ１１９が配置されている。また、本体部の裏面には報知用スピーカ１２０が配置されている。この報知用スピーカ１２０は、着信などを報知するものであり、蓋部を本体部に閉じた状態でも報知音が聞こえるように、本体部の裏面に配置されている。
【００１９】
図３は、携帯電話１の構成を示すブロック図である。無線部１２１は、図１の基地局２と無線接続されるアンテナ１０３に接続されており、送信回路１２１１と受信回路１２１２とを内蔵し、ＰＳＫ方式に基づく変復調と、Ｎ−ＣＤＭＡ方式に基づく端末認証処理や、周辺環境の受信電波状態を監視する処理を含む通信処理を行う。制御部１２２は、当該機器全体の制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。通信データ処理部１２２１は、ＣＬＥＰ系ボコーダ＆音声復号処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜テンキー１１３で構成される。
【００２０】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、各種アプリケーションプログラムを格納するとともにタイマー１２５１を内蔵する。音源ＩＣ１２６は、報知音の波形を記憶するともに出力するものであって、アンプ１２７は音源ＩＣ１２６からの出力を増幅し、前記報知用スピーカ１２０はこれを再生する。
【００２１】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズ１１８により被写体像が結像されるＣＣＤ等からなり、ＤＳＰ１２９は、この撮像デバイス１３０からの画像信号を処理するものである。これら、撮像デバイス１３０、ＤＳＰ１２９及びこれらが実装されている基板等によりカメラ部（撮像手段）１３１が形成されている。
【００２２】
以上の構成に係る本実施の形態において、制御部１２２は、基地局２からの指令やシステムＲＯＭ１２２２に記憶されている携帯電話１固有の設定条件に従って、受信回路１２１２をＯＮ動作タイミング及びＯＮ継続時間を制御する。また、制御部１２２は、逐次受信電波を計測し、携帯電話１の周辺の電波環境（ＲＳＳＩ値及びＥｃ／Ｉｃ値等）情報を近隣の基地局２に送出している。
【００２３】
係る状況下において携帯電話１が着呼待受け状態にあるとき、制御部１２２はプログラムＲＯＭ１２５に格納されているプログラムに基づき、図４のフローチャートに示す処理を実行する。すなわち、カメラキー１０４の操作を検出することによりカメラモードに移行し、カメラ部１３１を起動させた後（ステップＳ１０１）、近隣の基地局２から送信されるシステム情報の受信解析処理を開始し（ステップＳ１０２）、まず、近隣の基地局２のシステム情報が受信できるか否かに基づいて当該携帯電話１がサービスエリア圏内にあるかサービスエリア圏外にあるかを判断する（ステップＳ１０３）。この時、近隣の基地局２のシステム情報が受信できない状態、すなわち、携帯電話１がサービスエリア圏外にあると判断した場合は、カメラ部１３１の動作を制限し、一定時間カメラ部１３１の動作を停止させる（ステップＳ１０４）。また、このステップＳ１０４の処理を行ったならば、ステップＳ１０２からの処理を繰り返す。
【００２４】
したがって、ステップＳ１０３で圏外であると判断されている間は、ステップＳ１０２→Ｓ１０３→Ｓ１０４→Ｓ１０２のループが繰り返される。よって、携帯電話１が圏外である間は、カメラ部１３１からノイズが発生しなくなり、無線部１２１の受信回路１２１２がこのノイズの影響を受けることなく、システム情報の受信のための受信状態を継続することができる。
【００２５】
一方、ステップＳ１０３での判断の結果、携帯電話１がサービスエリア圏内にあると判断した場合には、前述のように基地局２に送出するための電波環境（ＲＳＳＩ値及びＥｃ／Ｉｃ値等）を計測する（ステップＳ１０５）。そして、この計測した電波環境に基づき、携帯電話１が受信動作が厳しい環境下にあるか否かを判断する（ステップＳ１０６）。このステップＳ１０６の判断は、例えばＲＳＳＩ値及びＥｃ／Ｉｃ値等に所定の閾値を設定しておき、各値が閾値以上であればＮＯ、すなわち携帯電話１が受信動作が順調な環境下にあると判断し、閾値未満であればＹＥＳ、すなわち携帯電話１が受信動作が厳しい環境下にあると判断する。
【００２６】
このステップＳ１０６での判断がＮＯ、すなわち、携帯電話１が受信動作が順調な環境下にあると判断した場合は、カメラモードの起動、及び、一連の動作中にカメラ部１３１から発生するノイズが無線部１２１の受信回路１２１２に深刻な影響を与えることはない。よって、この場合には、カメラ部１３１に通常動作を継続させる（ステップＳ１０７）。
【００２７】
しかし、ステップＳ１０６での判断がＹＥＳ、すなわち、携帯電話１が受信動作が厳しい環境下にあると判断した場合には、カメラ部１３１を間欠動作ＯＮ状態にして（ステップＳ１０８）、カメラ部１３１を一定時間間欠動作させる（ステップＳ１０９）。この間欠動作は以下のようにして行う。
【００２８】
すなわち、携帯電話１は、サービスエリア圏内にあるときは、消費電流を削減するために予め設定された数種類のサーチモードのみで動作する。このとき、制御部１２２は無線部１２１の受信回路１２１２をＯＮにするタイミングを認識していたとしても、どの位の時間受信回路１２１２をＯＮするのかは、図５に示すように、その都度基地局２から受信した情報（受信信号Ａ）を元に決定する。したがって、受信回路１２１２のＯＮ時間（Ｂ）やサーチ時間（Ｆ）は特定できず、通常１００ｍｓ程度から数十秒程度の受信回路のＯＮ時間やサーチ時間（Ｂ、Ｆ）が存在する。したがって、長いサーチモード（数十秒程度）（ＦＬ）のときまでもカメラ動作を停止（Ｇ）してしまうと、カメラ部１３１の動作が不自然になってしまうことになる。したがって、このような不自然な状態を回避するため、受信回路１２１２がＯＮしたタイミング（Ｂの立ち上がりタイミング）をトリガにして（Ｃ）、タイマー１２５１を起動させる（Ｄ）。そしてこれと同期して、カメラ部１３１の電源をＯＦＦにし（Ｅ）、また、受信状態であってもタイムアップすれば、カメラ部１３１の電源をＯＮにし、動作を再開させる（Ｉ）。この処理を実行することにより、カメラ部１３１が長時間停止してしまう状況を防止し、不自然な動作が起きないようにしている。
【００２９】
なお、このようにカメラ動作を優先させた場合において、長いサーチモードが連続してしまうと、受信中にカメラ部１３１が動作するタイミング（Ｉ）が発生する。したがって、カメラ間欠動作の時間を監視するタイマー１２５１のタイマー値の時間幅（Ｈ）を数段階でステップ増加させ、受信動作中にカメラ部１３１が動作する時間を短くする。また、カメラ部１３１を間欠動作させる際の内容は、完全にカメラ部１３１を構成する全ての回路をＯＦＦにしてしまう方法が最良であるが、カメラ部１３１にはＣＣＤのように電源投入から完全に動作できるようになるまでの時間が長いものが存在する。したがって、カメラ部１３１は動作に必要な電源電圧に達しない電源電圧で待機させ、動作タイミング時に電源電圧を規定の電圧に設定し、可及的に高速に回路を立ち上げる。さらに、ＤＳＰ１２９は電源を完全に遮断するのではなく、スリープモード（Ｊ）等の待機モードを使用し制御する。
【００３０】
以上のようにして、カメラ部１３１を一定時間間欠動作させて、カメラ部１３１からのノイズによる影響を受け難くさせ、該間欠動作をＯＦＦにした後（ステップＳ１１０）、ステップＳ１０２からの処理を繰り返す。
なお、本実施の形態においては、受信動作が厳しい環境である場合（ステップＳ１０６；ＹＥＳ）においてのみ、カメラ部１３１を間欠動作させるようにしたが、電波環境に拘わらず、常時間欠動作させるようにしてもよい。これにより、カメラ部１３１の動作電流が削減でき、携帯電話１で重要な性能指標である電池持ち時間を長くすることができる。
【００３１】
（第２の実施の形態）
図６は、本発明の第２の実施の形態における制御部１２２の処理手順を示すフローチャートである。すなわち、カメラキー１０４の操作を検出することによりカメラモードに移行し、カメラ部１３１を起動させた後（ステップＳ２０１）、近隣の基地局２から送信されるシステム情報の受信解析処理を開始し（ステップＳ２０２）、まず、近隣の基地局２のシステム情報が受信できるか否かに基づいて当該携帯電話１がサービスエリア圏内にあるかサービスエリア圏外にあるかを判断する（ステップＳ２０３）。この時、近隣の基地局２のシステム情報が受信できない状態、すなわち、携帯電話１がサービスエリア圏外にあると判断した場合は、カメラ部１３１の動作を強制的に停止させる（ステップＳ２０４）。したがって、携帯電話１がサービスエリア圏外にある間は、カメラ部１３１は強制的に停止される。すなわちカメラ部１３１からノイズが発生しなくなり、無線部１２１の受信回路１２１２がこのノイズの影響を受けることなく、システム情報の受信のための受信状態を継続することができる。
【００３２】
このステップＳ２０４の処理の後、強制停止通知を開始し、メイン表示部１０２（蓋部を閉じている状態の場合は、サブ表示部１１６）にカメラ部１３１の動作を強制的に停止させた旨を表示する（ステップＳ２０５）。さらに、この強制的に停止させたカメラ部１３１を再度動作させるか否か、すなわちユーザがカメラキー１０４を再操作を検出することにより、強制的に停止させたカメラ部１３１を再び動作させるか否かを判断する（ステップＳ２０６）。カメラキー１０４が操作されない場合には、ステップＳ２０２からの処理を繰り返し、カメラキー１０４が操作された場合には、カメラ部１３１の動作を再開させて（ステップＳ２０７）、ステップＳ２０２からの処理を繰り返す。したがって、カメラ部１３１が強制的に停止されても、ユーザは手動でカメラ部１３１の動作を再開させることができ、これによりシャッターチャンスを失う不都合を防止することができる。
【００３３】
一方、ステップＳ２０３での判断の結果、当該携帯電話１がサービスエリア圏内にある場合には、前述のように基地局２に送出するための電波環境（ＲＳＳＩ値及びＥｃ／Ｉｃ値等）を計測する（ステップＳ２０８）。そして、この計測した電波環境に基づき、携帯電話１が受信動作が厳しい環境下にあるか否かを判断する（ステップＳ２０９）。このステップＳ２０９の判断は、前述のステップＳ１０６と同様にして行う。そして、このステップＳ２０９での判断がＮＯ、すなわち、携帯電話１が受信動作が順調な環境下にあると判断した場合には、前述のようにカメラモードの起動、及び、一連の動作中にカメラ部１３１から発生するノイズが無線部１２１の受信回路１２１２に深刻な影響を与えることはない。よって、この場合には、ステップＳ２０８に戻り、カメラ部１３１に通常動作を継続させる。
【００３４】
しかし、ステップＳ２０９での判断がＹＥＳ、すなわち、携帯電話１が受信動作が厳しい環境下にあると判断した場合には、その旨の通知を開始し、メイン表示部１０２（蓋部を閉じている状態の場合は、サブ表示部１１６）に携帯電話１が弱電界環境にあり、正常な受信状態が保証されない旨を表示する（ステップＳ２１０）。したがって、ユーザがこの表示を視認することにより、周囲が弱電界にあることを認識することができる。
【００３５】
さらに、一定時間カメラ部１３１の動作を継続させた後（ステップＳ２１１）、再度電波環境（ＲＳＳＩ値及びＥｃ／Ｉｃ値等）を計測し（ステップＳ２１２）、この計測した電波環境に基づき、携帯電話１が受信動作が厳しい環境下にあるか否かを再度判断する（ステップＳ２１３）。そして、このステップＳ２１３での判断がＮＯ、すなわち、携帯電話１が受信動作が順調な環境下にあると判断した場合には、前述のようにカメラ部１３１のノイズの発生が無線部１２１の受信回路１２１２に深刻な影響を与えることはない、よって、この場合にはステップＳ２１２に戻り、カメラ部１３１に通常動作を継続させる。
【００３６】
しかし、ステップＳ２１３での判断がＹＥＳであって、依然として携帯電話１が受信動作が厳しい環境下にあると判断した場合には、前述のステップＳ２１１と同様に、ユーザの操作検出によるカメラ部１３１の動作を継続させるか否かを判断する（ステップＳ２１４）。そして、ユーザのクリアキー１１０操作を検出することにより、カメラモードをキャンセルしカメラ部１３１を停止させる場合には、カメラ部１３１の動作を停止させる（ステップＳ２１５）。また、ユーザのカメラキー１０４の操作検出により、カメラ部１３１の動作を継続させる場合には、カメラ部１３１の動作を継続させる（ステップＳ２１５）。
【００３７】
したがって、携帯電話１が受信動作が厳しい環境下にある場合でも、ユーザの意思により受信を優先してカメラ部１３１を停止するか、カメラ部１３１を優先して受信を犠牲にするかを選択することができる。よって、その時のユーザ都合に応じた受信及びカメラ動作制御が可能となる。
【００３８】
尚、本実施の形態においては、Ｎ−ＣＤＭＡ方式の無線通信システムに適用するカメラ機能付の携帯電話について述べたが、無線通信システムの方式に限定されることはなく、Ｗ（Ｗｉｄｅｂａｎｄ）−ＣＤＭＡ方式、ＰＤＣ、ＧＳＭ、ＰＨＳ等のＴＤＭＡ方式でも適用可能である。
【図面の簡単な説明】
【００３９】
【図１】本実施の形態における無線通信システムの構成を示す図である。
【図２】（ａ）は携帯電話１の正面図、（ｂ）は背面図である。
【図３】携帯電話１の構成を示すブロック図である。
【図４】本発明の第１の実施の形態における制御部の処理手順を示すフローチャートである。
【図５】同実施の形態の動作を示すタイムチャートである。
【図６】本発明の第２の実施の形態における制御部の処理手順を示すフローチャートである。
【符号の説明】
【００４０】
１          携帯電話（無線通信機器）
２          基地局
１０２      メイン表示部（表示手段）
１０３      アンテナ
１０４      カメラキー
１０５      メールキー
１１０      クリアキー
１１１      オンフックキー
１１２      オフフックキー
１１３      テンキー
１１６      サブ表示部（表示手段）
１１８      撮像レンズ
１２１      無線部
１２２      制御部（計測手段、制御手段、停止手段）
１２３      データバス処理部
１２４      ＲＡＭ
１２５      プログラムＲＯＭ
１２８      表示モジュール系ドライバ
１２９      ＤＳＰ
１３０      撮像デバイス
１３１      カメラ部（撮像手段、撮像部）
１２１１    送信回路
１２１２    受信回路（間欠受信手段）
１２２１    通信データ処理部
１２２２    システムＲＯＭ
１２５１    タイマー（タイマー手段）
【図１】
2005086612.tif 000003
【図２】
2005086612.tif 000004
【図３】
2005086612.tif 000005
【図４】
2005086612.tif 000006
【図５】
2005086612.tif 000007
【図６】
2005086612.tif 000008